(57)【要約】      （修正有）【課題】破損したり傷付いた廃ガラスも再利用可能にしてリサイクル率を飛躍的に高めるとともに、容易かつ低コストの実施を可能にし、外観デザイン上の面白さを高め、装飾性及び趣味性、更には商品としての付加価値を高めるとともに、断熱性及び遮音性などの窓ガラス性能を高めた装飾窓ガラスを提供する。【解決手段】ガラスに対して装飾を施してなる装飾窓ガラスであって、二枚のガラス板２ａ，２ｂを所定の隙間を空けて配し、かつ隙間に、廃ガラスを粉砕して得たガラス破砕粒Ｇｘ…，Ｇｙ…を充填するとともに、二枚のガラス板２ａ，２ｂの周りを窓枠３により保持してなる。【選択図】図１
0003170054.tif 000002
【実用新案登録請求の範囲】
【請求項１】
廃ガラスを再利用することにより、ガラスに対して装飾を施してなる装飾窓ガラスであって、二枚のガラス板を所定の隙間を空けて配し、かつ当該隙間に、廃ガラスを粉砕して得たガラス破砕粒を充填するとともに、前記二枚のガラス板の周りを窓枠により保持してなることを特徴とする装飾窓ガラス。
【請求項２】
前記ガラス破砕粒には、少なくとも透明な廃フロートガラスを粉砕して得たガラス破砕粒及び／又は廃ステンドグラスを粉砕して得たガラス破砕粒を含むことを特徴とする請求項１記載の装飾窓ガラス。
【請求項３】
前記窓枠は、廃プラスチックのリサイクル素材，又は廃プラスチックと廃木材の複合材を用いたリサイクル素材，により製作することを特徴とする請求項１又は２記載の装飾窓ガラス。
【考案の詳細な説明】
【技術分野】
【０００１】
本考案は、廃ガラスを再利用することにより、ガラスに対して装飾を施してなる装飾窓ガラスに関する。
【背景技術】
【０００２】
従来、廃ガラスをリサイクル（再利用）して窓ガラスを得る技術としては、特許文献１で開示される複層窓ガラスが知られている。この複層窓ガラスは、既設の単層窓を解体して得た既存窓ガラスを再利用して複層窓ガラスを製作することにより、安価で製作手間が簡素化できるようにした複層窓ガラスの提供を目的としたものであり、既設の単層窓を解体して得た既存窓ガラスと、この既存窓ガラスと同一外形に形成された新設窓ガラスとを備え、既存窓ガラスと新設窓ガラスの全周が接着部材を介して接合されることにより、既存窓ガラスと新設窓ガラスが間に密封空隙を保持した対向状態に接合されるように構成されたものである。
【０００３】
一方、ガラスに対して装飾を施した装飾窓ガラスとしては、特許文献２で開示される化粧ガラスが知られている。この化粧ガラスは、透明ガラスの一側面に、セラミックコーティング層を設け、このセラミックコーティング層の側面に、柔軟性を有する層を設けたものである。
【先行技術文献】
【特許文献】
【０００４】
【特許文献１】特開平１１−２２８１９１号公報
【特許文献２】実開昭６４−０２０３３２号公報
【考案の概要】
【考案が解決しようとする課題】
【０００５】
しかし、上述した従来の再利用に係る複層窓ガラス及び装飾（化粧）を施した化粧ガラスは、次のような問題点があった。
【０００６】
前者の複層窓ガラスは、ガラスをそのまま再利用するものであるため、一部でも破損したり傷付いたガラスは再利用できない。したがって、リサイクル率の観点からはかなり低いものにならざるを得ない。また、基本的には、通常の透明な窓ガラスとしての再利用に止まり、窓ガラスの多様性及び発展性を高めることはできない。
【０００７】
後者の化粧ガラスは、ガラスの表面にコーティング層を設けるものであるため、仕上がりは、シートを貼付けた場合と同様に、コーティングを施した以上の面白みが生まれるものではない。また、基本的には、製造工場におけるコーティング工程を経て新規の製品として製造されるため、コストアップが無視できないとともに、汎用性にも難がある。
【０００８】
本考案は、このような背景技術に存在する課題を解決した装飾窓ガラスの提供を目的とするものである。
【課題を解決するための手段】
【０００９】
本考案に係る装飾窓ガラス１は、上述した課題を解決するため、廃ガラスを再利用することにより、ガラスに対して装飾を施してなる装飾窓ガラスであって、二枚のガラス板２ａ，２ｂを所定の隙間Ｃを空けて配し、かつ当該隙間Ｃに、廃ガラスを粉砕して得たガラス破砕粒Ｇｘ…，Ｇｙ…を充填するとともに、二枚のガラス板２ａ，２ｂの周りを窓枠３により保持してなることを特徴とする。
【００１０】
この場合、考案の好適な態様により、ガラス破砕粒（Ｇｘ…，Ｇｙ…）には、少なくとも透明な廃フロートガラスを粉砕して得たガラス破砕粒Ｇｘ…及び／又は廃ステンドグラスを粉砕して得たガラス破砕粒Ｇｙ…を含ませることが望ましい。また、窓枠３は、廃プラスチックのリサイクル素材Ｒｐ，又は廃プラスチックと廃木材の複合材を用いたリサイクル素材Ｒｍ，により製作できる。
【考案の効果】
【００１１】
このような構成を有する本考案に係る装飾窓ガラス１によれば、次のような顕著な効果を奏する。
【００１２】
（１）  二枚のガラス板２ａ，２ｂを所定の隙間Ｃを空けて配し、かつ当該隙間Ｃに、廃ガラスを粉砕して得たガラス破砕粒Ｇｘ…，Ｇｙ…を充填するとともに、二枚のガラス板２ａ，２ｂの周りを窓枠３により保持してなるため、破損したり傷付いた廃ガラスも再利用することができ、廃ガラスのリサイクル率を飛躍的に高めることができる。しかも、容易かつ低コストに実施できるとともに、汎用性にも優れる。
【００１３】
（２）  廃ガラスを粉砕して得たガラス破砕粒Ｇｘ…，Ｇｙ…を、二枚のガラス板２ａ，２ｂ間の隙間Ｃに充填して構成するため、外観デザイン上の面白さを高め、独特の雰囲気を醸し出すことができ、装飾性及び趣味性、更には商品としての付加価値を飛躍的に高めることができるなど、窓ガラスの多様性及び発展性に優れる。加えて、一般のペアガラスと異なり隙間Ｃを広くするため、結果的に、断熱性及び遮音性等の窓ガラスに要求される一般的な窓ガラス性能も高めることができる。
【００１４】
（３）  好適な態様により、ガラス破砕粒（Ｇｘ…，Ｇｙ…）に、少なくとも透明な廃フロートガラスを粉砕して得たガラス破砕粒Ｇｘ…及び／又は廃ステンドグラスを粉砕して得たガラス破砕粒Ｇｙ…を含ませれば、少なくとも色の異なる複数種のガラス破砕粒Ｇｘ…とＧｙ…の混合により、多様なデザインを容易に作り出すことができるとともに、外観デザイン性をより高めることができる。
【００１５】
（４）  好適な態様により、窓枠３を、廃プラスチックのリサイクル素材Ｒｐ，又は廃プラスチックと廃木材の複合材を用いたリサイクル素材Ｒｍ，により製作すれば、木質感を容易に醸し出すことができるとともに、天然木材に比べて腐食や劣化が生じにくい窓枠３を得ることができる。
【図面の簡単な説明】
【００１６】
【図１】本考案の好適実施形態に係る装飾窓ガラスの正面図、
【図２】同装飾窓ガラスの一部を示す断面側面図、
【図３】同装飾窓ガラスの製造方法説明図、
【図４】同装飾窓ガラスの製造工程図、
【考案を実施するための形態】
【００１７】
次に、本考案に係る好適実施形態を挙げ、図面に基づき詳細に説明する。
【００１８】
まず、本実施形態に係る装飾窓ガラス１の構成について、図１及び図２を参照して説明する。
【００１９】
装飾窓ガラス１は、図２に示すように、二枚のガラス板２ａ，２ｂを所定の隙間Ｃを空けて配し、かつ当該隙間Ｃに、廃ガラスを粉砕して得たガラス破砕粒Ｇｘ…，Ｇｙ…を充填するとともに、ガラス板２ａ，２ｂの周りを窓枠３により保持して構成する。
【００２０】
ガラス板２ａ，２ｂには、それぞれ厚さ３〔ｍｍ〕前後のフロートガラス板を使用することができる。なお、ガラス板２ａ，２ｂは、新品であってもよいし、使用済み（再利用品）であってもよい。また、隙間Ｃは、４〔ｍｍ〕前後に設定することが望ましい。一方、ガラス破砕粒（Ｇｘ…，Ｇｙ…）には、透明な廃フロートガラスを粉砕して得たガラス破砕粒Ｇｘ…及び廃ステンドグラスを粉砕して得たガラス破砕粒Ｇｙ…を用いる。各ガラス破砕粒Ｇｘ…，Ｇｙ…の平均粒径は、３〔ｍｍ〕程度が望ましい。各ガラス破砕粒Ｇｘ…，Ｇｙ…は例示のように双方を用いることが望ましいが、いずれか一方のみを用いる場合を排除するものではない。このように、各ガラス破砕粒Ｇｘ…，Ｇｙ…に、透明な廃フロートガラスを粉砕して得たガラス破砕粒Ｇｘ…及び／又は廃ステンドグラスを粉砕して得たガラス破砕粒Ｇｙ…を含ませれば、少なくとも色の異なる複数種のガラス破砕粒Ｇｘ…とＧｙ…の混合により、多様なデザインを容易に作り出すことができるとともに、外観デザイン性をより高めることができる。
【００２１】
他方、窓枠３は、廃プラスチックと廃木材の複合材を用いたリサイクル素材Ｒｍにより製造した枠材３ａ，３ｂ，３ｃ，３ｄを組合わせて構成する。なお、形成素材としては、廃プラスチックのリサイクル素材Ｒｐのみであっても実施可能である。このように、窓枠３を、廃プラスチックのリサイクル素材Ｒｐ，又は廃プラスチックと廃木材の複合材を用いたリサイクル素材Ｒｍにより製作すれば、木質感を容易に醸し出すことができるとともに、天然木材に比べて腐食や劣化が生じにくい窓枠３を得れる利点がある。
【００２２】
次に、本実施形態に係る装飾窓ガラス１の製造方法について、図３及び図４を参照して説明する。
【００２３】
まず、図４に示すように、透明な廃フロートガラスの回収（ステップＳ１），色の着いた廃ステンドグラスの回収（ステップＳ２），廃プラスチックの回収（ステップＳ３），廃木材の回収（ステップＳ４）をそれぞれ行う。
【００２４】
一方、回収した廃フロートガラスは、ガラス粉砕機により粉砕する（ステップＳ５）。粉砕する条件は、粉砕したガラス破砕粒Ｇｘ…の平均粒径が概ね３〔ｍｍ〕程度となるように設定する。これにより、ランダムな形状のガラス破砕粒Ｇｘ…が得られるため、得られたガラス破砕粒Ｇｘ…から、前述した隙間Ｃに入らないような大きなガラス破砕粒を分離して除くとともに、小さなガラス破砕粒、例えば、２〔ｍｍ〕以下の小さなガラス破砕粒も分離して除く（ステップＳ６）。
【００２５】
また、回収した廃ステンドグラスも、ガラス粉砕機により粉砕する（ステップＳ７）。粉砕する条件は、上述した廃フロートガラスの場合と同様に、粉砕したガラス破砕粒Ｇｙ…の平均粒径が概ね３〔ｍｍ〕程度となるように設定する。これにより、ランダムな形状のガラス破砕粒Ｇｙ…が得られるため、得られたガラス破砕粒Ｇｙ…から、上述した廃フロートガラスの場合と同様に、大きなガラス破砕粒及び小さなガラス破砕粒を分離して除く（ステップＳ８）。
【００２６】
他方、窓枠３を構成する枠材３ａ，３ｂ，３ｃ，３ｄを製造する。各枠材３ａ…の製造には、公知の製造法を利用することができ、例えば、廃棄されたポリスチレン製の食器トレイ等の廃プラスチックを加熱溶解し、さらに、微細化（粉末化）した廃木材を添加するとともに、発泡剤等の添加剤を加えて成形材料を生成する（ステップＳ９）。この際、配合する廃プラスチックと廃木材の比率は最適な品質が得られるように予め選定する。また、茶色系などの着色剤を添加し、製造した各枠材３ａ…の外観が木質状となるように考慮する。そして、成形材料を生成したならこの成形材料を押出成形することにより基材を製造するとともに、この基材をカッティングすることにより図３に示す各枠材３ａ，３ｂ，３ｃ，３ｄを得る（ステップＳ１０）。
【００２７】
各枠材３ａ，３ｂ，３ｃ，３ｄが得られたなら、図３に示す中間窓ガラスＭｍを製作する（ステップＳ１１）。即ち、一つの枠材３ｃを除いた残り三つの枠材３ａ，３ｂ，３ｄの組付け行うとともに、予め用意した二枚のガラス板２ａ，２ｂを枠材３ａ，３ｂ，３ｄに係合するように組付ける。なお、各枠材３ａ，３ｂ…の組付けに際しては、固定ネジ，接着剤等の各種固定手段により固定することができる。
【００２８】
そして、図３に示すように、二枚のガラス板２ａと２ｂ間に形成される隙間Ｃに、予め用意したガラス破砕粒Ｇｘ…とＧｙ…を充填する（ステップＳ１２）。この際、各ガラス破砕粒Ｇｘ…とＧｙ…の収容する位置や量を選定して、例えば、図１に示すような所望のデザイン模様Ｄが出来るように考慮する。ガラス破砕粒Ｇｘ…とＧｙ…の充填が終了したなら、図３に示すように、予め除いておいた枠材３ｃを中間窓ガラスＭｍに対して矢印Ｆｃ方向から組付ける（ステップＳ１３）。これにより、図１に示すような、ガラスに対して装飾を施してなる目的の装飾窓ガラス１を得ることができる（ステップＳ１４）。なお、図１は、二つの装飾窓ガラス１，１を壁等に付設した状態を示している。
【００２９】
よって、このような本実施形態に係る装飾窓ガラス１によれば、二枚のガラス板２ａ，２ｂを所定の隙間Ｃを空けて配し、かつ当該隙間Ｃに、廃ガラスを粉砕して得たガラス破砕粒Ｇｘ…，Ｇｙ…を充填するとともに、二枚のガラス板２ａ，２ｂの周りを窓枠３により保持してなるため、破損したり傷付いた廃ガラスも再利用することができ、廃ガラスのリサイクル率を飛躍的に高めることができる。しかも、容易かつ低コストに実施できるとともに、汎用性にも優れる。また、外観デザイン上の面白さを高め、独特の雰囲気を醸し出すことができ、装飾性及び趣味性、更には商品としての付加価値を飛躍的に高めることができるなど、窓ガラスの多様性及び発展性に優れる。加えて、一般のペアガラスと異なり隙間Ｃを広くするため、結果的に、断熱性及び遮音性等の窓ガラスに要求される一般的な窓ガラス性能も高めることができる。
【００３０】
以上、好適実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００３１】
例えば、各ガラス板２ａ，２ｂは、単層板であってもよいし多層板であってもよい。廃ガラスとしてフロートガラスを例示したが、ガラス瓶やガラス製品等の各種ガラスを利用できる。したがって、従来、廃棄していたガラス製品のリサイクルにも寄与できる。また、窓枠３は、廃プラスチックのリサイクル素材Ｒｐ，又は廃プラスチックと廃木材の複合材を用いたリサイクル素材Ｒｍにより製作した場合を示したが、アルミニウムサッシ等の各種素材により形成する場合を排除するものではない。
【産業上の利用可能性】
【００３２】
本考案に係る装飾窓ガラスは、一般住宅をはじめ、工場や施設等の各種建造物における窓ガラス（採光窓）や装飾パネルなどとして利用することができる。
【符号の説明】
【００３３】
１：装飾窓ガラス，２ａ：ガラス板，２ｂ：ガラス板，３：窓枠，Ｃ：所定の隙間，Ｇｘ…：ガラス破砕粒，Ｇｙ…：ガラス破砕粒，Ｒｐ：廃プラスチックのリサイクル素材，Ｒｍ：廃プラスチックと廃木材の複合材を用いたリサイクル素材
【図１】
0003170054.tif 000003
【図２】
0003170054.tif 000004
【図３】
0003170054.tif 000005
【図４】
0003170054.tif 000006